【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
加入者宅内設備装置のＷｉ−Ｆｉノードの無線リンクを監視する方法であって、前記Ｗｉ−ＦｉノードはＷｉ−Ｆｉソフトウェア・ドライバおよび送信／受信バッファを有する物理層を含み、
複製されるパケットのタイム・スタンプを含めることで、前記送信／受信バッファを通して受信パケットおよび送信パケットを複製するステップと、
前記複製したパケットを監視ユニットに送るステップと、
を有する、前記方法。
【請求項２】
前記Ｗｉ−Ｆｉソフトウェア・ドライバのＲｘ／Ｔｘ制御を含めることによってデータ・パケットを複製して、パケット・タイミングを含む前記Ｗｉ−Ｆｉノードの正確なパケット交換を取得するステップを有する、請求項１に記載の方法。
【請求項３】
前記監視ユニットに送る前に、前記加入者宅内設備装置内で複製したパケット・ストリームの各パケットを単一ＩＰフレームにカプセル化するステップを有する、請求項１又は２に記載の方法。
【請求項４】
前記送信／受信バッファを通過する全ての受信パケットおよび全ての送信パケットを複製し、全ての複製したパケットを前記監視ユニットに送るステップを有する、請求項１から３のいずれかに記載の方法。
【請求項５】
前記複製した受信パケットおよび送信パケットを、並列パケット・ストリームとして監視ユニットに送るステップを有する、請求項１から４のいずれかに記載の方法。
【請求項６】
前記複製したパケットを、前記加入者宅内設備装置のディジタル加入者線接続を介して、ネットワーク・サービス・プロバイダの監視ユニットに送るステップを有する、請求項１から５のいずれかに記載の方法。
【請求項７】
加入者宅内設備装置のＷｉ−Ｆｉノードの無線リンクを監視する方法であって、前記Ｗｉ−ＦｉノードはＷｉ−Ｆｉソフトウェア・ドライバおよび送信／受信バッファを有する物理層を含み、
前記送信／受信バッファを通過するパケットを複製するステップと、
前記複製したパケットを監視ユニットに送るステップと、
を有する、前記方法。
【請求項８】
前記Ｗｉ−Ｆｉソフトウェア・ドライバのＲｘ／Ｔｘ制御を含めることによってデータ・パケットを複製して、パケット・タイミングを含む前記Ｗｉ−Ｆｉノードの正確なパケット交換を取得するステップを有する、請求項７に記載の方法。
【請求項９】
前記監視ユニットに送る前に、前記加入者宅内設備装置内で前記複製したパケット・ストリームの各パケットを単一ＩＰフレームにカプセル化するステップを有する、請求項７又は８に記載の方法。
【請求項１０】
請求項１から９のいずれかに記載の方法を利用する加入者宅内設備装置。
【請求項１１】
Ｗｉ−Ｆｉソフトウェア・ドライバおよび送信／受信バッファを有する物理層を含むＷｉ−Ｆｉノード、前記送信／受信バッファを通過するパケットを複製するＷｉ−Ｆｉ監視アプリケーション、および前記複製したパケットを監視ユニットに送る監視データ・パスを備えた、請求項１０に記載の加入者宅内設備装置。
【請求項１２】
前記加入者宅内設備装置は、住宅用ゲートウェイ、ルータ、スイッチ、セット・トップ・ボックス又は他のＷｉ−Ｆｉ加入者宅内設備装置である、請求項１０又は１１に記載の加入者宅内設備装置。
【請求項１３】
ブロードバンド・サービスを配信するディジタル加入者線を介してサービス・プロバイダへ接続するために設計された、請求項１０から１２のいずれかに記載の加入者宅内設備装置。
【手続補正２】
【補正対象書類名】明細書
【補正対象項目名】０００２
【補正方法】変更
【補正の内容】
【０００２】
住宅用ゲートウェイは、家庭で装置をインターネットや他の広域ネットワーク（ＷＡＮ）に接続するために広く用いられる。住宅用ゲートウェイは、銅線や光線路を介して高データレート転送を可能にする特定のディジタル加入者線（ＤＳＬ）技術において使用する。数年間、いくつかのＤＳＬ標準は、データレートおよび帯域が異なって構築され、例えば、ｘＤＳＬという文脈で参照されるＡＤＳＬおよびＶＤＳＬがある。インターネットサービスのための光伝送、例えば、ファイバ−トゥ−ザ−ホーム（ＦＴＴＨ）およびファイバ−トゥ−ザ−プレマイズ（ＦＴＴＰ）もよく知られている。住宅用ゲートウェイは、ルータ、スイッチ、電話およびセット・トップ・ボックスのような他の装置も、加入者宅内設備（ＣＰＥ）という文脈で理解される。
【手続補正３】
【補正対象書類名】明細書
【補正対象項目名】０００３
【補正方法】変更
【補正の内容】
【０００３】
無線技術を含む住宅用ゲートウェイは、今日の家庭およびプロフェッショナル環境において重要な役割を担う。無線装置をローカルエリアネットワーク（ＬＡＮ）に接続するメカニズムは、Ｗｉ−Ｆｉと呼ばれ、このＷｉ−Ｆｉは、無線データ伝送の標準のＩＥＥＥ  ８０２．１１ファミリーを使用する装置のためのＷｉ−Ｆｉアライアンスのブランド名である。ＩＥＥＥ  ８０２．１１標準は、２つのタイプの無線ノードである、局（ＳＴＡと表示される）と呼ばれる他の装置と接続することができる一般的な無線装置と、ネットワークを制御している特別なタイプのＳＴＡ、つまりアクセスポイント（ＡＰと表示される）とを規定している。Ｗｉ−Ｆｉネットワークは、しばしばＷＬＡＮ（無線ローカルエリアネットワーク）と呼ばれ、ＡＰと接続された１つ又はいくつかのＳＴＡを持つＡＰを構成する。
【手続補正４】
【補正対象書類名】明細書
【補正対象項目名】０００７
【補正方法】変更
【補正の内容】
【０００７】
Ｗｉ−Ｆｉの問題、例えば、接続設定、干渉、スループット、．．．を分析する望ましい方法は、無線ＬＡＮのマスター・ノード、すなわちＡＰを調べることである。ＡＰは、ＩＥＥＥ８０２．１１において定められているように、ネットワークを制御し、従って、全データおよびネットワーク制御がＡＰによって見えるようでなければならない。ＡＰは、今日、パケット伝送および信号レベルに関する統計を提供することができるが、それが可能なのは、ＡＰとＳＴＡとの間のリンクが構築可能な場合のみである。なぜリンクが切れるか、又はなぜスループットが低いか、という真の問題は、ＡＰ内部に隠されたままである。全パケット検査は不可能であり、従って、無線ＬＡＮにおける真の問題を特定することになると、技術又はプロトコルを分析する人にとって分からないままである。今日、良くても、ＡＰは統計を提供することはできるが、実際にネットワークで何が起きているかを知ることはできない。
【手続補正５】
【補正対象書類名】明細書
【補正対象項目名】０００８
【補正方法】変更
【補正の内容】
【０００８】
Ｗｉ−Ｆｉネットワークを分析する人が本当に関心のあることは、８０２．１１管理および制御パケットを含む、ＡＰとクライアントＳＴＡとの間の全パケット交換である。イーサネット（登録商標）においては、このパケット・キャプチャ方法が存在し、とてもありふれたことである。イーサネット・カードは、“無差別モード”にすることができる。このモードは、パケット・ストリームを分析することができるサード・パーティ製ソフトウェア（例えばＷｉｒｅｓｈａｒｋ）に対して、イーサネット・ハードウェアの送信／受信キューへの直接的で、透過的なアクセスを実際に可能にする。しかし、このソフトウェアは、低レベル・イーサネット・トラフィックを可視化することができないが、物理層についてのトラフィックのみ可視化することができる。イーサネットに関して、このレベルの分析は、それ自身が安定的な物理メディアなので十分である。それにもかかわらず、イーサネットでも、リンク速度ネゴシエーション又は二重通信検出（duplex detection）に失敗した場合、“さらなる情報”を必要とする。無線ネットワークでは、多くのそのような問題は非常に大きく、従って、報告されるデータ・リンクへの影響が存在している理由を理解するために、低レイヤ・プロトコル交換を特に調べる必要性が存在する。
【手続補正６】
【補正対象書類名】明細書
【補正対象項目名】００１６
【補正方法】変更
【補正の内容】
【００１６】
加入者宅内設備装置は、Ｗｉ−Ｆｉソフトウェア・ドライバおよび送信／受信バッファを有する物理層、送信／受信バッファを通るパケットを複製するＷｉ−Ｆｉ監視アプリケーション、および複製したパケットをＩＰストリームによって監視ユニットに渡す監視データ・パスを含むＷｉ−Ｆｉノードを備える。加入者宅内設備装置は、特に、住宅用ゲートウェイ、ルータ、スイッチ、セット・トップ・ボックス又は他のＷｉ−Ｆｉ加入者宅内設備装置であり、ディジタル加入者線などのＩＰインターフェースに、又はブロードバンド・サービスを提供するサービス・プロバイダ、ローカル・エリア・ネットワーク（ＬＡＮ）に接続するよう設計される。
【手続補正７】
【補正対象書類名】明細書
【補正対象項目名】００１７
【補正方法】変更
【補正の内容】
【００１７】
【図１】Ｗｉ−Ｆｉソフトウェア・ドライバおよび物理層を備えたＷｉ−Ｆｉノードを含む住宅用ゲートウェイの詳細を示す図である。
【図２】有線イーサネット接続を介してデバッグ用端末に接続された場合の住宅用ゲートウェイを示す図である。
【手続補正８】
【補正対象書類名】明細書
【補正対象項目名】００３０
【補正方法】変更
【補正の内容】
【００３０】
本発明の他の実施形態も、本発明の要旨を逸脱しない範囲で同業者によって利用されることができる。説明してきたこの方法は、Ｗｉ−Ｆｉを用いるあらゆるＣＰＥ装置に特に使用されることができる。従って、本発明は添付の請求項内にある。
［付記１］
加入者宅内設備装置（１）のＷｉ−Ｆｉノードの無線リンクを監視する方法であって、前記Ｗｉ−ＦｉノードはＷｉ−Ｆｉソフトウェア・ドライバ（２）および送信／受信バッファ（５、６）を有する物理層（３）を含み、
複製したパケットのタイム・スタンプを含めることで、前記送信／受信バッファ（５、６）を通して受信パケットおよび送信パケットを複製するステップと、
前記複製したパケットを監視ユニット（２０）に送るステップと、
を有する、前記方法。
［付記２］
前記Ｗｉ−Ｆｉソフトウェア・ドライバ（２）のＲｘ／Ｔｘ制御（９）を含めることによってデータ・パケットを複製して、パケット・タイミングを含む前記Ｗｉ−Ｆｉノードの正確なパケット交換を取得するステップを有する、付記１に記載の方法。
［付記３］
前記監視ユニットに送る前に、前記加入者宅内設備装置（１）内で単一ＩＰフレーム（２２）に複製したパケット・ストリームの各パケットをカプセル化するステップを有する、付記１又は２に記載の方法。
［付記４］
前記送信／受信バッファ（５、６）を通過する全ての受信パケットおよび全ての送信パケットを複製し、全ての複製したパケットを前記監視ユニット（２０）に送るステップを有する、付記１乃至３のいずれかに記載の方法。
［付記５］
前記複製した受信パケットおよび送信パケットを、並列パケット・ストリームとして監視ユニット（２０）に送るステップを有する、付記１乃至４のいずれかに記載の方法。
［付記６］
前記複製したパケットを、前記加入者宅内設備装置（１）のディジタル加入者線接続を介して、ネットワーク・サービス・プロバイダの監視ユニットに送るステップを有する、付記１乃至５のいずれかに記載の方法。
［付記７］
加入者宅内設備装置（１）のＷｉ−Ｆｉノードの無線リンクを監視する方法であって、前記Ｗｉ−ＦｉノードはＷｉ−Ｆｉソフトウェア・ドライバ（２）および送信／受信バッファ（５、６）を有する物理層（３）を含み、
前記送信／受信バッファ（５、６）を通過するパケットを複製するステップと、
前記複製したパケットを監視ユニット（２０）に送るステップと、
を有する、前記方法。
［付記８］
前記Ｗｉ−Ｆｉソフトウェア・ドライバ（２）のＲｘ／Ｔｘ制御（９）を含めることによってデータ・パケットを複製して、パケット・タイミングを含む前記Ｗｉ−Ｆｉノードの正確なパケット交換を取得するステップを有する、付記７に記載の方法。
［付記９］
前記監視ユニット（２０）に送る前に、前記加入者宅内設備装置（１）内で単一ＩＰフレーム（２２）に前記複製したパケット・ストリームの各パケットをカプセル化するステップを有する、付記７又は８に記載の方法。
［付記１０］
付記１乃至９のいずれかに記載の方法を利用する加入者宅内設備装置（１）。
［付記１１］
Ｗｉ−Ｆｉソフトウェア・ドライバ（２）および送信／受信バッファ（５、６）を有する物理層（３）を含むＷｉ−Ｆｉノード、前記送信／受信バッファ（５、６）を通過するパケットを複製するＷｉ−Ｆｉ監視アプリケーション（１０）、および前記複製したパケットを監視ユニット（２０）に送る監視データ・パス（１１）を備えた、付記１０に記載の加入者宅内設備装置。
［付記１２］
前記加入者宅内設備装置は、住宅用ゲートウェイ、ルータ、スイッチ、セット・トップ・ボックス又は他のＷｉ−Ｆｉ加入者宅内設備装置である、付記１０又は１１に記載の加入者宅内設備装置。
［付記１３］
前記加入者宅内設備装置は、住宅用ゲートウェイである、付記１０又は１１に記載の加入者宅内設備装置。
［付記１４］
ブロードバンド・サービスを配信するディジタル加入者線を介してサービス・プロバイダへ接続するために設計された、付記１０乃至１３のいずれかに記載の加入者宅内設備装置。
【手続補正９】
【補正対象書類名】図面
【補正対象項目名】図２
【補正方法】変更
【補正の内容】
【図２】
2015527786.tif 000001